(57)【要約】【課題】ユーザーが入力したコマンドに対してキャラクタの反応，対話や行動が常に変化するようにキャラクタを成長させるキャラクタ育成ゲームシステムを提供する。【解決手段】端末にゲームを提供するサーバにインストールされたゲームプログラム10は、ＡＳＰページ45と、ゲームに必要なデータを保存管理するゲームデータベース51と、端末に応じてデータ形式を変換する機能を有する変換データベース71とを備えている。ＡＳＰページ45は、ゲーム画面を作成するゲーム画面作成手段11と、ユーザからのコマンドを入力するコマンド入力手段12と、前記コマンドをゲームデータベース51に送信する送信手段13と、ゲームデータベース51に前記コマンドを保存する保存手段14と、人工知能を利用して前記コマンドに基づいて電子ペットをユーザに酷似させる電子ペット制御手段15とを備えている。【選択図】図２
0003124018.tif 000002
【実用新案登録請求の範囲】
【請求項１】
通信回線を介して端末装置と接続可能なキャラクタ育成ゲームシステムであって、仮想空間内で育成されるキャラクタを前記端末装置に表示させるキャラクタ表示手段と、ユーザが入力した前記キャラクタと対話するためのコマンドを前記端末装置から取得するコマンド取得手段と、取得した前記コマンドを解析し、当該解析結果に応じて前記コマンドに対する回答をデータベースから検索して前記キャラクタに対話させると共に、前記コマンドの内容を学習し、当該学習から得られた前記ユーザの特徴を前記キャラクタの態度に反映していくキャラクタ制御手段とを備えたことを特徴とするキャラクタ育成ゲームシステム。
【請求項２】
前記コマンドは前記キャラクタに対する会話文であり、前記キャラクタ制御手段は、前記会話文の内容を学習し、当該学習から得られた前記ユーザの特徴に基づいて、前記キャラクタが前記ユーザに似るように、前記キャラクタの性格を変化させていくものであることを特徴とする請求項１記載のキャラクタ育成ゲームシステム。
【請求項３】
前記端末装置は携帯端末であり、前記キャラクタを前記携帯端末上で表示可能なデータに変換するデータ変換手段を備えたことを特徴とする請求項１又は請求項２記載のキャラクタ育成ゲームシステム。
【請求項４】
前記キャラクタを表示するデータを前記データ変換手段を介して前記携帯端末に送信し、当該携帯端末と通信することによりこの携帯端末上にユーザが育成した前記キャラクタを再現させるキャラクタ配信手段を備えたことを特徴とする請求項３記載のキャラクタ育成ゲームシステム。
【請求項５】
前記キャラクタ表示手段は、他のユーザーが前記端末装置を利用して閲覧可能な仮想空間上に前記キャラクタを表示させる機能を有するものであることを特徴とする請求項１〜３のいずれか１つに記載のキャラクタ育成ゲームシステム。
【考案の詳細な説明】
【技術分野】
【０００１】
本考案は、通信回線を通じてユーザが操作する端末装置に電子ゲームを提供するゲームシステムに関し、ユーザーが入力するコマンドによりゲーム中のキャラクタが成長するキャラクタ育成ゲームシステムに関する。
【背景技術】
【０００２】
従来、このようなキャラクタ育成ゲームシステムの一例として特許文献１に開示されるものがある。この特許文献１に開示されるシステムでは、電子ペットの飼い主であるユーザーは、チャット操作を利用し、コマンドを入力することにより電子ペットを育成することができる。ユーザーが入力したコマンドは、サーバーに送信されコマンド解析される。サーバーには、そのコマンドとコマンドに対応する電子ペットが行う動作、例えば、コマンド“跳”に対しての動作“その場で跳ねる”といった対応関係が記録されたテーブルが保存されており、当該コマンド解析結果を基に、電子ペットがダンスなどの芸を行う。
【特許文献１】特開平１１−２１２９３４号公報
【考案の開示】
【考案が解決しようとする課題】
【０００３】
しかし、上記従来の技術では、電子ペットとしての行動に限界が生じ、固定した型にはまって独創性と新鮮さを失うようになる傾向（マンネリ化）を引き起こすという問題があった。電子ペットの動作は、サーバーに格納された前記テーブルにより定義されるが、予めテーブルに設定された動作パターンの数には限界がある。そのため、電子ペットに一通りの動作をさせた段階でユーザーが飽きてしまう虞がある。
【０００４】
そこで本考案は上記問題点に鑑み、ユーザーが入力したコマンドに対してキャラクタの反応，対話や行動が常に変化するようにキャラクタを成長させることにより、マンネリ化を防ぐことが可能となったキャラクタ育成ゲームシステムを提供することを目的とする。
【課題を解決するための手段】
【０００５】
本考案における請求項１のキャラクタ育成ゲームシステムは、通信回線を介して端末装置と接続可能なキャラクタ育成ゲームシステムであって、仮想空間内で育成されるキャラクタを前記端末装置に表示させるキャラクタ表示手段と、ユーザが入力した前記キャラクタと対話するためのコマンドを前記端末装置から取得するコマンド取得手段と、取得した前記コマンドを解析し、当該解析結果に応じて前記コマンドに対する回答をデータベースから検索して前記キャラクタに対話させると共に、前記コマンドの内容を学習し、当該学習から得られた前記ユーザの特徴を前記キャラクタの態度に反映していくキャラクタ制御手段とを備えている。
【０００６】
このようにすると、ユーザーが入力したコマンドに対してキャラクタの反応、対話や行動が常に変化し、徐々にユーザーの個性を反映させながらキャラクタを成長させることができる。
【０００７】
本考案における請求項２のキャラクタ育成ゲームシステムは、前記コマンドは前記キャラクタに対する会話文であり、前記キャラクタ制御手段は、前記会話文の内容を学習し、当該学習から得られた前記ユーザの特徴に基づいて、前記キャラクタが前記ユーザに似るように、前記キャラクタの性格を変化させていくものであることを特徴とする。
【０００８】
このようにすると、キャラクタは、ユーザとの会話を重ねる毎にその会話の内容を覚えていくため、成長するにつれユーザーと性格や話し方が似てくる。
【０００９】
本考案における請求項３のキャラクタ育成ゲームシステムは、前記端末装置は携帯端末であり、前記キャラクタを前記携帯端末上で表示可能なデータに変換するデータ変換手段を備えたことを特徴とする。
【００１０】
このようにすると、ユーザは携帯端末上でキャラクタを表示することが可能となる。
【００１１】
本考案における請求項４のキャラクタ育成ゲームシステムは、前記キャラクタを表示するデータを前記データ変換手段を介して前記携帯端末に送信し、当該携帯端末と通信することによりこの携帯端末上にユーザが育成した前記キャラクタを再現させるキャラクタ配信手段を備えたことを特徴とする。
【００１２】
このようにすると、ユーザは携帯端末を利用してキャラクタを育成することが可能となる。
【００１３】
本考案における請求項５のキャラクタ育成ゲームシステムは、前記キャラクタ表示手段は、他のユーザーが前記端末装置を利用して閲覧可能な仮想空間上に前記キャラクタを表示させる機能を有するものであることを特徴とする。
【００１４】
このようにすると、公開された一のユーザーの電子ペットを他のユーザーが閲覧できることで、各ユーザーは電子ペットを自慢し合うことにより、ネットワーク上で公開された仮想空間を通じて共通意識を有する多くの人々と知り合うことができる。
【考案の効果】
【００１５】
本考案の請求項１によると、キャラクタの挙動に対するマンネリ化を防ぐことが可能となる。
【００１６】
本考案の請求項２によると、ユーザーは実際の生物を育成しているかのように感じ、癒し、安らぎ、満足感等を感じることができる他、成長したキャラクタを通してユーザが自分の性格を客観的に見ることもできる。
【００１７】
本考案の請求項３及び４によると、携帯端末の可動性を利用することにより口コミによる宣伝効果が期待できる。
【００１８】
本考案の請求項５によると、各ユーザーは互いの電子ペットを自慢し合うことにより、共通意識を有する多くの人々と知り合い、ネットワーク上で付き合っていくことにより、コミュニティが活性化される。
【考案を実施するための最良の形態】
【００１９】
以下、添付図面を参照しながら、本考案におけるキャラクタ育成ゲームプログラムの好ましい実施例を説明する。
【００２０】
本考案のキャラクタ育成ゲームプログラムでは、ユーザーが入力したコマンドに対してキャラクタの反応、対話や行動が常に変化する。またキャラクタはユーザーが入力した対話の内容を覚えていき、徐々にユーザーの個性がキャラクタに反映されていく。例えば、ユーザとの対話を重ねるにつれ、キャラクタの話し方，生活習慣，性格などがユーザーのそれに近似していったり、キャラクタに予め設定された性格等がユーザーのしつけ（調教）により変化していったりなどする。またミッションというゲーム中のイベントがあり、このミッションをクリアすることによって、キャラクタが成長していく。キャラクタが成長していくと、動作、対話がさらに変化していく。すなわち、本考案では人工知能機能を搭載することで、従来の技術のようなマンネリ化を防ぐことが可能となった。
【００２１】
以下に説明する実施例では、動物を擬人化した電子ペットを育成対象キャラクタとしているが、動物以外にも例えば人間，植物，ロボットなど様々なバリエーションが考えられる。
【００２２】
図１は、本考案の一実施例におけるキャラクタ育成ゲームシステムの全体構成図である。ゲームシステム１は、ユーザー側の端末装置としてのクライアント２及び携帯端末３と、サービス運営会社側のサーバー４とを、通信回線としてのインターネット５で相互接続して構成される。
【００２３】
クライアント２は例えばパーソナルコンピュータなどの汎用コンピュータからなり、携帯端末３は例えばアプリケーション機能付き携帯電話などであり、ユーザーはこれらを直接操作してゲームを楽しむ。従って、クライアント２及び携帯電話３は、ゲームの操作や画面表示を可能とするために、少なくとも、コマンドを入力するための例えばキーボードやマウスなどの操作入力手段と、ゲーム画面を表示するための例えばディスプレイ装置などの表示手段と、ゲームに必要なデータを保持するための例えばハードディスクや半導体メモリなどの記憶手段と、インターネット５を通じてサーバー４とデータ通信するための例えばモデムなどの通信手段と、各構成手段を有機的に結合してゲームに必要な情報処理を行なうための例えばＣＰＵ（中央演算処理装置）などの情報処理手段とを備えている。
【００２４】
サーバー４は例えばワークステーションなどの高性能コンピュータからなり、クライアント２や携帯端末３からの要求（要請）に応じてゲームの処理結果を返答（返事）する。従って、サーバー４は、クライアント２や携帯端末３におけるゲームの操作入力に応じてゲームを進行させるために、少なくとも、インターネット５を通じてクライアント２及び携帯端末３とデータ通信するための例えばモデムなどの通信手段と、ゲームに必要なデータを保持，保存するための例えばハードディスクや半導体メモリなどの記憶手段と、各構成手段を有機的に結合してゲームに必要な情報処理を行なうための例えばＣＰＵなどの情報処理手段とを備えている。
【００２５】
本実施例におけるキャラクタ育成ゲームシステムは、グラフィカルユーザーインターフェースを用いて、ユーザーが電子ペットとネットワーク経由で対話式に会話をしながら電子ペットを育成することが可能なゲームシステムであり、対話を重ねる毎に電子ペットはその対話の特徴を覚えていき、ユーザーと性格や、話し方が似てくることを特徴としている。
【００２６】
図２は、キャラクタ育成ゲームシステムを構成するために、主にサーバー４上で実行されるキャラクタ育成ゲームプログラムの機能構成を示すブロック図である。
【００２７】
当該キャラクタ育成ゲームプログラム10は、ゲームの制御に関する情報処理を行なうＡＳＰページ45と、ゲームに必要なデータを保存管理するゲームデータベース51と、クライアント２等のコンピュータ上で取り扱うデータを携帯端末３で取り扱うことが可能なデータ形式へ変換する機能を有する変換データベース71とを備えている。
【００２８】
ゲームデータベース51では、例えば、クライアント２の画面上で表示するための電子ペット画像，背景画像，アイテム画像，操作ボタン画像，メッセージウィンドウ画像等のゲーム画面を表示するために必要な画像（アニメーションを含む）や、ＢＧＭや効果音等のゲーム音楽や、電子ペットの対応（セリフ，動作等）や、ユーザーの特徴などに関するデータが保存管理される。
【００２９】
変換データベース71は、育成された電子ペットを携帯端末３に送信して表示可能とするために、例えば電子ペットに関する画像やゲーム音楽などのデータを携帯端末３で表示可能なデータ形式に変換して管理，保存するプログラムを実装している。
【００３０】
ＡＳＰページ45は、クライアント２又は携帯端末３の要求に応じて、インターネット５を通じて処理結果を送信する機能を主機能とするプログラムであり、クライアント２のブラウザからデータを受け取ってファイルに記録したり、データベースと連携した動的なＷｅｂページを作成したりすることができる。本実施例のＡＳＰページ45は、電子ペットをアニメーション表示すると共に、ユーザーがコマンド入力を行うことにより電子ペットを仮想的に育成することが可能なゲーム画面を表示するＷｅｂページを作成するゲーム画面作成手段11と、ユーザが電子ペットと対話する又は電子ペットにミッションを与えるためのコマンドを入力するコマンド入力手段12と、前記コマンドをゲームデータベース51に送信する送信手段13と、ゲームデータベース51に前記コマンドを保存する保存手段14と、当該保存された前記コマンド情報によって自動でゲーム画面上の電子ペット表示を制御する電子ペット制御手段15とを備えている。
【００３１】
携帯端末３上でゲーム画面が表示される場合には、ゲーム画面作成手段11により作成されたゲーム画面がこの変換データベース71によりデータ変換された後、携帯端末３に配信される。すなわち、ＡＳＰページ45がキャラクタ配信手段として作用し、電子ペットを表示するデータを変換データベース71を介して携帯端末３に送信し、当該携帯端末３とインタラクティブ（相互）に通信することによりこの携帯端末３上にユーザが育成した電子ペットを再現させる。
【００３２】
コマンド入力手段12は、実際にはクライアント２又は携帯端末３上に表示されるＷｅｂページ（ゲーム画面）に埋め込まれたプログラムに相当し、クライアント２又は携帯端末３で実行されることにより、インターネット５を介してサーバ４へコマンドの内容を示すデータを送信する。
【００３３】
電子ペット制御手段15は、ユーザーが入力したコマンドのパラメタ値を変換し、人工知能を利用して入力されたコマンドを解析し、当該解析結果に応じてコマンドに対する回答をゲームデータベース51から検索して電子ペットに対話させると共に、コマンドの内容を学習し、当該学習から得られたユーザの特徴を電子ペットの態度に反映していく。とりわけ、本実施例では、前記コマンドは電子ペットに対する会話文であり、電子ペット制御手段15は、前記会話文の内容を学習し、当該学習から得られたユーザの特徴に基づいて、電子ペットがユーザに似るように、電子ペットの性格を変化させていく。
【００３４】
本実施例におけるキャラクタ育成ゲームでは、人工知能を搭載していることから、ユーザーが電子ペットとコマンド入力を通して対話すると、当該電子ペットがユーザーの話し方やくせ等を学習し、ユーザー自身に酷似していく。それによりユーザーは本物のペットを育成しているかのように感じ、癒し、安らぎ、満足感等を感じサイトに再度訪問したくなる楽しみを得られる。
【００３５】
また、ユーザーは、ゲーム上で、電子ペットを育成すると共に、アニモール（仮想農場）を構成していくことにより、コミュニティ内でユーザー自身の電子ペットを公開できる。アニモールは、他のユーザーがクライアント２と同等の機能を備えた別の端末装置を利用して閲覧可能な仮想空間であり、当該アニモール上には閲覧者とは別のユーザーが育成した電子ペットを表示させることができる。公開された一のユーザーの電子ペットを他のユーザーが閲覧できることで、各ユーザーは電子ペットを自慢し合うことにより、共通意識を有する多くの人々と知り合い、ネットワーク上で付き合っていくことにより、コミュニティが活性化される。さらに、携帯端末３上における電子ペットの提供サービスにより、ユーザーは携帯端末３上で電子ペットを表現することができ、携帯端末３の可動性を利用することにより口コミが広がりサイトが活性化される。
【００３６】
次に、実際のゲーム進行について図３を参照しながら説明する。図３は、キャラクタ育成ゲームプログラムにおける処理の流れを示すフローチャートである。
【００３７】
まずゲームを開始する前に、ユーザーは予め、例えばサービス運営会社が提供するインターネット上のＷｅｂページなどを通じて会員登録をし、自分が育成するキャラクタとなる電子ペットに関して例えば電子ペットの種類や性格など電子ペットの個性を特徴づけるパラメータを選択して好みの初期設定を行なう。
【００３８】
ユーザーは、クライアント２や携帯端末３からサーバー４にアクセス（ログイン）してゲームを開始する。具体的には、例えば、クライアント２等にインストールされたＷｅｂブラウザを利用してＷｅｂページを通じてユーザー側へゲーム画面を表示させたり、クライアント２等にインストールされた専用ゲームアプリケーションによりサーバー４から処理結果を受け取ってユーザー側へゲーム画面を表示させたりすればよい。その際、ゲームに必要なデータを全てサーバー４側で管理するよう構成してもよいし、ユーザー個別のデータをクライアント２又は携帯端末３側で管理するよう構成してもよい。
【００３９】
ゲームが開始されると、例えば電子ペットの種類，背景，他のアイテムの位置，電子ペットのレベル等のゲームに必要なデータ値を読み込む（ステップ１）。当該データ値を基に、クライアント２や携帯端末３の画面上に例えば背景，アイテム，電子ペットなどのゲーム画面をグラフィック表示させる（ステップＳ２）。
【００４０】
ユーザーが対話文を入力すると、設定された回数制限から対話可能であるか判断し、対話可能であれば対話にある答えをゲームデータベース51から検索し、電子ペットに答えさせる（ステップＳ３〜Ｓ５）。本実施例では、無料で対話を行なえる回数を制限している。例えば、無料で可能な対話回数を一日最大１０回までとし、ユーザがさらに多くの対話を希望する場合には対話可能アイテムを購入させて回数制限を外す構成としている。
【００４１】
ユーザーが対話文を入力せずに、ミッションの実行を行なった場合には、電子ペットのミニアニメーション動作を表示させる（ステップＳ６，Ｓ７）
ユーザーが対話文を入力せず、さらにミッションの実行もしない場合には、電子ペットの表情や行動等をランダムに変化させる（ステップＳ８）。具体的には、例えば、電子ペットが空腹，退屈している動作と共にユーザに話しかけるセリフなどを表示し、ユーザーに応対を促す。これに対してユーザーは「えさあげ」，「遊ぶ」，「入浴」などの基本ミッション遂行や、対話を通して電子ペットに対して実行する（ステップＳ９）。
【００４２】
全てのミッションを実行してレベルアップの条件が充足されると、レベルアップアニメーションと共にレベルアップ特典を与える（ステップＳ10，Ｓ11）。
【００４３】
これらのプロセスが繰り返されるに従って、徐々に電子ペットが成長していく。
【００４４】
実際にユーザーが育成している電子ペットのゲーム画面となる対話グラフィカルユーザーインターフェースを図４に示す。ユーザーはこのゲーム画面から電子ペットと会話を行う。同図において、30は、電子ペット31の画像と背景画像とを合成してなる電子ペット表示窓であり、アニメーション表示される電子ペット31の基本活動範囲となる。この電子ペット表示窓30は、ユーザーに現在の電子ペット31の状態を表示すると共に、電子ペット31が見せる多様な表情と対話でユーザーに基本ミッションやレベルアップミッションの遂行を要求して、両方向対話を通じてコミュニケーションをする窓口となる。
【００４５】
32は、電子ペット31の現在レベル状態を表示し、レベルアップする毎に更新される。33は、電子ペット31と対話を行なうための対話文を入力する対話ボックスであり、確定ボタン43の押動操作により対話ボックス33に入力された文字列データが取り込まれる。34は、対話ボックス31から入力された文章（質問等）に対する返事、電子ペット31からのメッセージ及び要求事項をユーザーへ出力表示する吹き出しである。吹き出し34は、通常表示されず、ユーザーが対話を行った場合等に必要に応じて表示される。
【００４６】
35は、電子ペット31へ各種ミッションを与えるミッションボタンである。35〜38は基本ミッションボタンであり、電子ペット31は、Ｆボタン36を押すと食事をし、Ｐボタン37を押すと遊び、Ｃボタン38を押すとお風呂に入る。39はミッション遂行ボタンであり、Ｍボタン39を押すと各レベル別に設定されたミッションをクリアすることによって、電子ペット31のレベルが上がる。どのレベルのミッションまで完了しているかはミッション完了表示40に表示される。ｉボタン41は電子ペット31のプロフィールを表示させるためのボタンであり、Ｓボタン42はスナップショット（カメラ）機能で現在の電子ペット31の状態をイメージファイルで保存するためのボタンである。なお、ミッションボタン35は、ミッションの進行状況（進行中，完了）に応じてその表示が変化する。
【００４７】
45は、対話ボックス33に入力された文字列データに対応する該当対話値やミッションボタン35の操作内容等を示すリクエストデータ46を取り込み、ゲーム画面の表示内容等の処理結果を示すレスポンスデータ47を転送するＷｅｂベースプログラムに相当するＡＳＰページである。ＡＳＰページ45は、質問要請時に前記該当対話値を転送し、ミッション実行時に該当の結果値を転送（返事）する。また、質問要請時、前記該当対話値をＡＳＰページ45がパラメタ値を加工することにより、対話をユニークにすることが可能である。
【００４８】
ここで、ユーザーと電子ペット31との対話時における、データの流れを図５を参照しながら説明する。図５はクライアント２又は携帯端末３とサーバー４との間でやり取りされるデータの流れを示したものである。
【００４９】
50は、図４に示したグラフィカルユーザーインターフェースを表示させるアニコレＦｌａｓｈファイル（Ｆｌａｓｈは登録商標）であり、51はサーバー４に構築されたゲームデータベースである。ユーザーがコマンドをグラフィカルユーザーインターフェースを介して入力すると、該コマンド入力値をＡＳＰページ45が認識し、受けたパラメタ値を加工してゲームデータベース51に適用，算出後またアニコレＦｌａｓｈファイル50に値を提供する。そして、ゲームデータベース51では、実データでＡＳＰページ45から受けたデータ値及びアニコレＦｌａｓｈファイル50から受けたデータ値を適用、算出する。
【００５０】
次に、イベントの１つであるミッションについて概略を説明する。ミッションには電子ペットが要請するミッション（えさを与える，遊ぶ，シャワーを浴びる等）を遂行する「基本ミッション」と、各レベル別の遂行を完了し、次のレベルへ上がるためにクリアしなければならない「レベルアップミッション」の二つの種類で分けられる。図４に示すように、各ミッションは該当条件が充足されれば（えさあげ回数，各ミッション遂行完了）、ミッションボタン35のうち該当のボタンが非活性化または色相がグレー処理されて、該当ミッションが遂行され、他のミッションを遂行しなければならないという可視的効果が現れる。
【００５１】
基本ミッションFood（食事を与える），Play（遊ぶ），Clean（シャワーや、入浴）を実行する各ボタン36〜38にマウスポインタを乗せた時には、該当の基本ミッションに対する基本的な説明文と実行ボタン、さらには次のレベルのために遂行しなければならないミッション遂行の数値が示されたメッセージウィンドウ60が表示される（図６<Ａ>）。ミッションをクリアするとレベルアップが起こり、電子ペット31は次第に成長していく。レベルアップするには、ミッションを遂行しなければならない。
【００５２】
Ｍボタン39を押すと、ミッション完了表示40で表示された未完了のレベルアップミッションに対する基本的な説明と実行可否（「はい」，「いいえ」）を確認する確認ウィンドウ61が表示される。（図６<Ｂ>）。「はい」を選択することにより、レベルアップミッションが開始される。
【００５３】
なお、ｉボタン41の操作により、該当の電子ペット31に対する基本的なプロフィールや、現在のレベルに対する情報を示すステータスウィンドウ62を表示することも可能である（図６<Ｃ>）。
【００５４】
また基本ミッションを遂行する場合に、電子ペット31の表情及び動きで該当のミッションを遂行しているという簡単なアニメーションを表示し（図７<Ａ>）、レベルアップミッション遂行時にもアニメーションを表示する（図７<Ｂ>）。すべての基本／レベルアップミッション遂行が完了してレベルアップする際には、ユーザーに対して電子ペット31のレベルが変更されたことを可視的に表示する（図７<Ｃ>）。
【００５５】
またユーザーは、ゲーム上でアニモールという仮想農場（仮想空間）を所有できる。このアニモールの画面を示したものが図８である。図８はアニモール内を編集するためのデザインモード時における画面を示したものである。このアニモール内では、電子ペット31のためにアイテム（例えば家具等）を購入することが可能である。また、アニモール内を他ユーザーが閲覧することも可能であり、ユーザー自身の電子ペットを他ユーザーに自慢することが可能である。
【００５６】
同図において、65はアニモール画面であり、この仮想空間上には電子ペット31が位置しており、また任意のアイテムも適当な位置に配置される。電子ペット31及びアイテムの位置は、例えばドラッグ＆ドロップするなどして変更することが可能である。
【００５７】
66は、アニモール画面65上に配置されたアイテムを削除及び更新するための削除ボタンであり、67は、アニモール画面65に係る現在のデザインを保存するための保存ボタンであり、68は、保存又は未保存後にデザインモードを抜けてプレーモードへ移行するためのプレーモードボタンである。
【００５８】
69は、ユーザーが購入又は基本提供されるアイテムを一覧表示するアイテムリストであり、ドラッグ＆ドロップでアニモール画面65内に該当のアイテムを追加表示，移動，削除が可能である。
【００５９】
最後に、電子ペット31を携帯端末３上に転送する概略を説明する。ユーザーは、前述のように、クライアント２上で表示されるゲーム画面となるアニコレ育成インターフェース70から電子ペット31を育成する。アニコレ育成インターフェース70でユーザに向けて出力される電子ペット画像やゲーム音楽に関するデータは、変換データベース71へ転送され、そこで携帯端末３において表現可能なデータ形式に変換される。そして、変換データベース71で変換されたデータは、携帯端末３へ送信され、携帯端末３上で表示される。
【００６０】
以上のように本実施例のキャラクタ育成ゲームシステム１は、通信回線としてのインターネット５を介して端末装置としてのクライアント２と接続可能なキャラクタ育成ゲームシステムであって、仮想空間内で育成されるキャラクタとしての電子ペット31をクライアント２に表示させるキャラクタ表示手段としてのゲーム画面作成手段11と、ユーザが入力した電子ペット31と対話するためのコマンドをクライアント２から取得するコマンド取得手段としてのコマンド入力手段12と、取得した前記コマンドを解析し、当該解析結果に応じて前記コマンドに対する回答をゲームデータベース51から検索して電子ペット31に対話させると共に、前記コマンドの内容を学習し、当該学習から得られた前記ユーザの特徴を電子ペット31の態度に反映していくキャラクタ制御手段としての電子ペット制御手段15とを備えている。
【００６１】
このようにすると、ユーザーが入力したコマンドに対して電子ペット31の反応、対話や行動が常に変化し、徐々にユーザーの個性を反映させながら電子ペット31を成長させることができる。従って、電子ペット31の挙動に対するマンネリ化を防ぐことが可能となる。
【００６２】
また本実施例のキャラクタ育成ゲームシステム１は、前記コマンドは電子ペット31に対する会話文であり、電子ペット制御手段15は、前記会話文の内容を学習し、当該学習から得られた前記ユーザの特徴に基づいて、電子ペット31が前記ユーザに似るように、電子ペット31の性格を変化させていくものであることを特徴とする。
【００６３】
このようにすると、電子ペット31は、ユーザとの会話を重ねる毎にその会話の内容を覚えていくため、成長するにつれユーザーと性格や話し方が似てくる。従って、ユーザーは実際の生物を育成しているかのように感じ、癒し、安らぎ、満足感等を感じることができる他、成長した電子ペット31を通してユーザが自分の性格を客観的に見ることもできる。
【００６４】
さらに本実施例のキャラクタ育成ゲームシステム１は、前記端末装置は携帯端末３であり、電子ペット31を携帯端末３上で表示可能なデータに変換するデータ変換手段としての変換データベース71を備えたことを特徴とする。
【００６５】
このようにすると、ユーザは携帯端末３上で電子ペット31を表示することが可能となる。
【００６６】
また本実施例のキャラクタ育成ゲームシステム１は、電子ペット31を表示するデータを変換データベース71を介して携帯端末３に送信し、当該携帯端末３と通信することによりこの携帯端末３上にユーザが育成した電子ペット31を再現させるキャラクタ配信手段としてのＡＳＰページを備えたことを特徴とする。
【００６７】
このようにすると、ユーザは携帯端末３を利用して電子ペット31を育成することが可能となる。従って、携帯端末３の可動性を利用することにより口コミによる宣伝効果が期待できる。
【００６８】
さらに本実施例のキャラクタ育成ゲームシステム１は、ゲーム画面作成手段11は、他のユーザーがクライアント２又は携帯端末３を利用して閲覧可能な仮想空間としてのアニモール上に電子ペット31を表示させる機能を有するものであることを特徴とする。
【００６９】
このようにすると、公開された一のユーザーの電子ペット31を他ユーザーが閲覧できることで、各ユーザーは互いの電子ペットを自慢し合うことにより、ネットワーク上で公開されたアニモールを通じて共通意識を有する多くの人々と知り合うことができる。従って、各ユーザーは電子ペットを自慢し合うことにより、共通意識を有する多くの人々と知り合い、ネットワーク上で付き合っていくことにより、コミュニティが活性化される。
【００７０】
なお、本考案は、上記実施例に限定されるものではなく、本考案の趣旨を逸脱しない範囲で変更可能である。育成されるキャラクタの性格は、ユーザが入力するコマンドのみによって特徴付けられるに限らず、例えば、キャラクタに与えるミッションの種類に現れる傾向などからキャラクタの性格を決定してもよく、読書のミッションを多くさせた場合にはおとなしい性格になり、運動のミッションを多くさせた場合には活発な性格になるなど、様々な変形実施が可能である。
【図面の簡単な説明】
【００７１】
【図１】本実施例におけるキャラクタ育成ゲームシステムのシステム構成を示すブロック図である。
【図２】同上、キャラクタ育成ゲームプログラムの機能構成を示すブロック図である。
【図３】同上、キャラクタ育成ゲームプログラムのゲーム処理の流れを示すフロー図である。
【図４】同上、キャラクタ育成ゲームのゲーム画面を示す説明図である。
【図５】同上、キャラクタ育成ゲームシステム内のデータの流れを示す説明図である。
【図６】同上、キャラクタ育成ゲームの別のゲーム画面を示す説明図である。
【図７】同上、キャラクタ育成ゲームのミッションボタン操作時のゲーム画面を示す説明図である。
【図８】同上、キャラクタ育成ゲームのアニモール画面を示す説明図である。
【図９】同上、キャラクタ育成ゲームシステム内のサーバーと携帯端末との間でやり取りされるデータの流れを示す説明図である。
【符号の説明】
【００７２】
１  キャラクタ育成ゲームシステム
２  クライアント（端末装置）
３  携帯端末（端末装置）
５  インターネット（通信回線）
11  ゲーム画面作成手段（キャラクタ表示手段）
12  コマンド入力手段
15  電子ペット制御手段（キャラクタ制御手段）
31  電子ペット（キャラクタ）
45  ＡＳＰページ（キャラクタ配信手段）
51  ゲームデータベース
71  変換データベース（データ変換手段）
【図１】
0003124018.tif 000003
【図２】
0003124018.tif 000004
【図３】
0003124018.tif 000005
【図４】
0003124018.tif 000006
【図５】
0003124018.tif 000007
【図６】
0003124018.tif 000008
【図７】
0003124018.tif 000009
【図８】
0003124018.tif 000010
【図９】
0003124018.tif 000011